(57)【要約】【課題】  テニスでは直感的に当たり前のように行われている運動要素でゴルフと共通する部分をゴルフ練習者に対し容易に習得できるようにする手段及び器具を提供することを課題とする。【解決手段】  手の感覚に近い感覚でボールを扱うことができるテニスに着目し、テニスのように利き手１本で確実なボール打撃が可能なスイングイメージ確認用クラブ及びインパクト練習用クラブという仕様の異なる２種類の片手操作用超短尺ゴルフクラブと長尺ティ、軟質ボールによる構成で、感覚的にボールをコントロールすることが可能なスイングリズムを体得する。【選択図】図１０
2009078108.tif 000002
【特許請求の範囲】
【請求項１】
本発明は、テニスラケットのように利き手１本で確実なボール打撃が可能なスイングイメージ確認用クラブ及びインパクト練習用クラブという仕様の異なる２種類より構成される片手操作用超短尺ゴルフクラブのセットと、そのような片手操作用超短尺ゴルフクラブでも通常のゴルフのフォームでボールを打つことが可能となるティバッティング用長尺ティ（以下、長尺ティという）、室内での使用が可能な軟質ボール、更にショット練習をゲーム感覚で行える同心円状の的シート及びバンカーや池を模したハザードシートの組み合わせによって構成されるもので、テニスの持つ用具操作の特徴によってゴルフスイングにおける基本的な身体の諸動作及びリズムを習得できると同時に、的シート等を利用することによってゲーム感覚で楽しみながら技術の向上を目指すことができることを特徴とするゴルフスイング練習器及び遊具。
【請求項２】
請求項１記載のスイングイメージ確認用クラブは、テニスラケットのように片手で操作しても容易にボール打撃が可能な、万人が片手で正確に釘を打つことができる金槌の長さを参考にした全長４０ｃｍ程の超短尺ゴルフクラブであって、グリップから僅かに突き出たシャフト先にはテニスラケットの円形のフェイス面とグリップ部と同様の位相関係になり、かつダミーフェイスとして自己主張を行うようデザイン面でも留意した円盤が直接またはグースネックを利用してオフセットに接続されている。円盤の中心部には、この円盤を強く意識できるようにする目的で透明なアクリルまたはポリカーボネートで作成されたスイング方向に対してゴルフクラブの８番アイアン〜ＰＷ、ＳＷ、ウエッジ等相当のロフト角を持ち実際にボールを打撃するフェイス面を有するパーツが接続されていて、円盤に対して垂直に回転させ固定することでゴルフクラブで言うライ角調整を行い、この回転調整によりロフト傾斜が地面に対して垂直になるように利用者毎に調整できることを特徴とするゴルフスイング練習器及び遊具。
【請求項３】
請求項１記載のインパクト練習用クラブは、同じく請求項２記載の超短尺のスイングイメージ確認用クラブのヘッド部分を、８番アイアン〜ＰＷ、ＳＷ、ウエッジ等の実際のグラブヘッドもしくは、これを模しフェイス面積を大きくしたイミテーションヘッドに交換したもので、一般的なアイアンクラブの特徴を持ちながらスイングイメージ確認用クラブに極めて近い構成を持ちスイングイメージ確認用クラブで習得した正しいスイングイメージを容易に当てはめられる形状であることを特徴とするゴルフスイング練習器及び遊具。
【請求項４】
請求項１記載のティバッティング用長尺ティは、ゴムもしくはスポンジ、エアクッション等の軟質素材で形成されるものであって、上部にボールを乗せることができる窪みを有し、請求項２詳説のスイングイメージ確認用クラブ、請求項３詳説のインパクト練習用クラブを利用して、一般的なゴルフスタンスの状態で超短尺クラブで正確に打撃できるようにボール位置の高さ調節ができるもので、更に上部をヒットしても倒れたり、大きな衝撃を手に与えない剛性と柔軟性を備えていることを特徴とするゴルフスイング練習器及び遊具。
【請求項５】
請求項１記載の同心円状の的シート及びバンカーや池を模したハザードシートは、請求項４の打撃用長尺ティからの的シートの距離、ハザードの配置等を変更することによってコース毎の難易度を変化させる等ダーツまたはアーチェリーのようなゲーム性をスイングイメージ確認用クラブ及びインパクト練習用クラブでの練習に組み入れることができることを特徴とするゴルフスイング練習器及び遊具。
【請求項６】
請求項５記載の的シート及びハザードシート等は、実際にシートを床に敷く以外に天井等に設置されたＰＣ制御の投影器で床に様々な的パターン（コースパターン）を投影することができるが、これに加えてボール位置の自動判別、集計機能、ナレーション機能などの付加機能をも搭載することでスポーツバー等での課金対象のゲームとして提供できることを特徴とするゴルフスイング練習器及び遊具。
【請求項７】
請求項５記載の的シートは、家庭用ゲーム専用機及びＰＣに接続可能な感圧素子を備えたシート型の的デバイスに置き換えることが可能で、床に敷かれたり壁に掛けられたこの的デバイスで打ち込まれたボール位置を検出し、ソフトウェア側に送信することにより様々なゲームコンテンツが構築可能となることを特徴とするゴルフスイング練習器及び遊具。
【発明の詳細な説明】
【技術分野】
【０００１】  本発明は、ゴルフスイング練習器及び遊具に関するものである。
【背景技術】
【０００２】  利き手でない手に備わっている筋肉の組織は当然ながら利き手の組織と何ら変わるところはない。筋力などは劣るかも知れないが決定的な違いは、構造的なものではなく利き手でコントロールできるのと同じように利き手でない手をコントロールできていない脳自体にある。スポーツにおける技術というものは、フォームが正しければ良いという「形から入るべきもの」ではなく、いかに脳が合理的にそして自然なリズムで身体をコントロールできているか否かという部分が最終的には重要となり、それによってのみ安定したプレーが可能となる。しかし、ゴルフスイングでの身体の動きは合理性に基づく流れであると同時に、その動き自体は日常的な動作とは掛け離れたものである場合が多く、それを体得するのはそう容易なことではない。そのような理由もあって、正しい身体の動きをマスターするためにスイングを時間軸で細切れにし、テークバックはこうあるべき、コックはこうするべき、切り返しはこうするべきと個々の部位の具体的なチェックポイントの羅列によってスイングを形作ろうとしてしまう傾向があることも事実である。本来動きやリズムというものは動作目的があるからそのようになるのであるが、それぞれのチェックポイントが切り離され独り歩きしてしまい、しいてはリズム感を無視して器具によってスイングの型を強制することによって理想的なスイングを得ようというような、因果関係が逆転した、スポーツにとって最も重要な合理的な運動理解とその実践を伴わないものも現れている（例えば、特許文献１、特許文献２参照）。【０００３】  一方、自宅でのスイング練習を目的にした６０ｃｍ台の長さの短尺クラブと人工芝とゴム製のティを装備した台、練習用ボールによって室内での練習が可能となるような発明（例えば、特許文献３参照）があり、同様の商品（例えば、非特許文献１参照）も販売されているが、これらは基本的にはクラブを短くすることで室内で室外同様のスイング練習が行えるようにすることを目的とするもので、練習者に対してゴルフスイングのヒントを与えるような啓蒙的な練習効果を期待するものではなかった。【０００４】  最近、ゴルフ練習方法の一つとして野球のバットを利用する有名プロの練習法等がテレビなどで紹介されていることもあって、バットを模したゴルフ用の練習器具（例えば、非公開文献２参照）も市販されている。バットスイングでは、ゴルフの世界での決まり事などに囚われずに子供の頃から親しんできた野球の世界観で素直に操作することが可能であり、野球とゴルフの共通となる体重移動、リストの返し、軸回転などを抽出し単純化し練習することができるとされる。しかしながら、非公開文献２の商品名が「パワフルスイング」という事実にも表れているように、この練習器具はパワーを養い飛距離を稼ぐためのものとしての色づけがされており、リズム感を重視したバットコントロールによって短い距離を打ち分け繊細な身体各部の協調性を高めるような目的のものではない。更に打面が円筒形でフェイス面の概念がないという形状の特徴からゴルフの持つもう一つの要素であるフェイス要素がなく、例えばゴルフに必要なリストワークは手首の甲側に折り曲げるスナップなのか、手首を回転し返してしまうリストターンなのかを打てば飛んでしまう円筒形の打面からは明確な答えは得られず、故にフェイスコントロールや打球方向の確認、スピン方向の確認も含めたトータルな練習を行うことはできない。【０００５】
【特許文献１】特開平７−３２８１６５
【特許文献２】Ｐ２０００−３２５５２３Ａ
【特許文献３】特開平９−１５４９９３
【非特許文献１】「ライト株式会社  ＰＤＦカタログ２００６、ｐ．５２、商品名：テーブルショットセット
【非特許文献２】「ライト株式会社  ＰＤＦカタログ２００６、ｐ．５８、商品名：パワフルスイング」
【発明の開示】
【発明が解消しようとする課題】
【０００６】  現代テニスではオープンスタンスによって繰り出される強力なトップスピンでダウン・ザ・ラインを狙うのが全盛であるが、このことからもわかるようにスタンスが必ずしも飛球方向の正確性を決定している訳ではない。ではなぜ、テニスでは相手から打ち込まれた時々刻々と状況が変化するボールを思ったところに打ち返すことができるのかというと、照準器のようにスタンスを考えるゴルフとは逆の発想がそこにはある。プレーヤーは打ち返されたボールを攻撃に転じなければならないという状況の中で、返球イメージをまず持ち、そして、その実現のために仮想のインパクトポイント、振り抜き方向そしてインパクトタイミングが瞬時に決定され、スタンスもそれに対応して決められる。次にこの仮想のインパクトポイント、インパクトタイミングの一点での爆発に向けてテークバック、リストコックなどが逆算され、身体の諸動作を協調させるようにスイングが行われる。テニスでは、このようにインパクトポイント、タイミングを重視することによって、ゴルフのようにボールの後に回って飛球線方向を確認してからスタンスを取ることなく、頭の中で描いた軌道でボールを狙ったところに打ち込むことが可能となるのである。
【０００７】  しかしながら、一般的なゴルフの教則によればインパクトというものを逆に意識しないようにと書かれている場合が多い。綺麗なスイングプレーンを意識しヘッドを振り抜くだけに集中しボールにヘッドを当てるのではなくスイングの途中にたまたまインパクトがあったと考えるようにするのが良しとされているのである。これはボールが止まっているので仮想のインパクトポイント、インパクトタイミングを設定しなくとも問題ないということと、大根切りのように円運動を忘れ直線的に打ちに行ってはいけないというビギナーに対する戒めも含まれた説明だと思われる。けれども、仮想のインパクトポイント、インパクトタイミングというのは力を集中させ、リストスナップ等のタイミングを合わせ、フェイスの開きを感性で  修正して打撃するという意味では非常に重要な意味を持っている。ボクシングでサンドバックやパンチングミットがあるのは、そのポイント及びタイミングでリズムを合わせパワーが最大になるようにするための目安が必要なためであって、スイング軌道のどこかに相手がいるということでは爆発的なパワーは生まれない。
【０００８】  ところが、一方で多くのプロが説き広く普及しているゴルフスイング理論の中にはスクウェアにボールをつかまえるためにはスイング時の身体の開きを打ち消す目的でリストターンが不可欠であるというものもある。しかし、インパクトの際にフェイス上にボールが接している時間は平均３．５ミリ秒と極めて短いために、この理論では手首を捻り被せて行く動きの中でフェイス面が飛球線方向を向き、意図するロフトになるのは一瞬しかないが、そのドンピシャのタイミングでインパクトをさせようという極めて不安定で高度な技術を求めるものに他ならない。しかし、これは残念ながら前出の「インパクトを意識するな」という理論と矛盾するものである。
【０００９】  上記の様にゴルフスイングの理論に合理的な共通理念がなく、各達人が考えたアイデアの展示場と言える混沌とした状態であることの背景には、ゴルフクラブ自体が我々が身体の一部として自由に扱える道具としての許容度を超えているという疑念がある。例えば、野球で飛んできたボールを受け取るというような動作を考えた場合、弾道方向に合わせて手を引いて衝撃を和らげて取るのが確実であるが、それを腕を横殴りに振って弾道の一点でかすめ取るようにするべきだという意見があったとしても殆どの人はそれを受け入れることはないと思う。それは、日常生活の中でそのようなことはしないからである。しかし、感覚の許容度の外側にあると思われるゴルフではその当たり前の日常感覚からの補完が行えないため、技術説明するために多くの比喩が用いられ、様々な問題に対する様々な対応策が提示されるが、それが何の根拠もない裸の王様であってもそれと気がつかない状態であると言えるのである。
【００１０】  本発明では、本発明者の経験に基づき手の感覚に近い感覚で比較的短い道具でボールを扱うことができるテニスに着目し、テニスでは直感的に当たり前のように行われている運動要素でゴルフと共通する部分をゴルフ練習者に対し容易に習得できるようにする手段及び器具を提供することを課題とする。
【課題を解決するための手段】
【００１１】  請求項１記載の本発明の構成は、テニスラケットのように利き手１本で確実なボール打撃が可能なスイングイメージ確認用クラブ及びインパクト練習用クラブという仕様の異なる２種類より構成される片手操作用超短尺ゴルフクラブのセットと、そのような片手操作用超短尺ゴルフクラブでも通常のゴルフのフォームでボールを打つことが可能となるティバッティング用長尺ティ（以下、長尺ティという）、室内での使用が可能な軟質ボール、更にショット練習をゲーム感覚で行える同心円状の的シート及びバンカーや池を模したハザードシートの組み合わせによって構成されるもので、テニスの持つ用具操作の特徴によってゴルフスイングにおける基本的な身体の諸動作及びリズムを習得できると同時に、的シート等を利用することによってゲーム感覚で楽しみながら技術の向上を目指すことができることを特徴とする。
【００１２】  請求項１記載のスイングイメージ確認用クラブは、テニスラケットのように片手で操作しても容易にボール打撃が可能な、万人が片手で正確に釘を打つことができる金槌の長さを参考にした全長４０ｃｍ程の超短尺クラブであって、グリップから僅かに突き出たシャフト先にはテニスラケットの円形のフェイス面とグリップ部と同様の位相関係になり、かつダミーフェイスとして自己主張を行うようデザイン面でも留意した円盤が直接またはグースネックを利用してオフセットに接続されている。円盤の中心部には、この円盤を強く意識できるようにする目的で透明なアクリルまたはポリカーボネートで作成されたスイング方向に対してゴルフクラブの８番アイアン〜ＰＷ、ＳＷ、ウエッジ等相当のロフト角を持ち実際にボールを打撃するフェイス面を有するパーツが接続されていて、円盤に対して垂直に回転させ固定することでゴルフクラブで言うライ角調整を行い、この回転調整によりロフト傾斜が地面に対して垂直になるように練習者毎に調整できることを特徴とする。
【００１３】  請求項１記載のインパクト練習用クラブは、同じく請求項２記載の超短尺のスイングイメージ確認用クラブのヘッド部分を、８番アイアン〜ＰＷ、ＳＷ、ウエッジ等の実際のグラブヘッドもしくは、これを模しフェイス面積を大きくしたイミテーションヘッドに交換したもので、一般的なアイアンクラブの特徴を持ちながらスイングイメージ確認用クラブに極めて近い構成を持ちスイングイメージ確認用クラブで習得した正しいスイングイメージを容易に当てはめられる形状であることを特徴とする。
【００１４】  請求項１記載のティバッティング用長尺ティは、ゴムもしくはスポンジ、エアクッション等の軟質素材で形成されるものであって、上部にボールを乗せることができる窪みを有し、請求項２詳説のスイングイメージ確認用クラブ、請求項３詳説のインパクト練習用クラブを利用して、一般的なゴルフスタンスの状態で起短尺クラブで正確に打撃できるようにボール位置の高さ調節ができるもので、更に上部を打撃しても倒れたり、大きな衝撃を手に与えない剛性と柔軟性を備えていることを特徴とする。
【００１５】  請求項１記載の同心円状の的シート及びバンカーや池を模したハザードシートは、請求項４の打撃用長尺ティからの的シートの距離、ハザードの配置等を変更することによってコース毎の難易度を変化させる等ダーツまたはアーチェリーのようなゲーム性をスイングイメージ確認用クラブ及びインパクト練習用クラブでの練習に組み入れることができることを特徴とする。
【００１６】  請求項５記載の的シート及びハザードシート等は、実際にシートを床に敷く以外に天井等に設置されたＰＣ制御の投影器で床に様々な的パターン（コースパターン）を投影することができるが、これに加えてボール位置の自動判別、集計機能、ナレーション機能などの付加機能をも搭載することでスポーツバー等での課金対象のゲームとして提供することができる。
【００１７】  請求項５記載の的シートは、家庭用ゲーム専用機及びＰＣに接続可能な感圧素子を備えたシート型の的デバイスに置き換えることが可能で、床に敷かれたり壁に掛けられたこの的デバイスで打ち込まれたボール位置を検出し、ソフトウェア側に送信することにより様々なゲームコンテンツが構築可能にすることができる。
【発明の効果】
【００１８】  本発明のゴルフスイング練習器において、請求項２に説明されているような特徴を持った超短尺のスイングイメージ確認用クラブは、ロフトを有したゴルフクラブ様の要素を持っていながら感覚的にテニスラケットのようにスイングすることが可能で、テニス的な感覚とリズム感とでストレスなくボールを打撃できるような構造になっている。また、請求項３に説明されているような特徴を持った超短尺のインパクト練習用クラブは、実際のゴルフヘッドを使うなどスイングイメージ確認用クラブと実際のゴルフクラブの中間的な位置付けにあり、更には、スイングイメージ確認用クラブで得られたものを実際のゴルフクラブで実践するという繋ぎの役割を持つ。
【００１９】  本発明では、スイングイメージ確認用クラブではテニスに近い、手で投げるような直感的な感覚で打撃するスイングリズムを習得し、インパクト練習用クラブでは、この習得したリズム感を用いて実際のゴルフヘッドに近い形状のフェイス面でボールをコントロールする練習を行うのであるが、インパクト練習用クラブでは、ゴルフヘッドの持つ錯覚を引き起こす形状故にゴルフ的な思いが紛れ込みスイングイメージ確認用クラブでできていたことがついできなくなってしまう傾向がある。そこにスイングイメージ確認用クラブ、インパクト練習用クラブの２種類のクラブがセットになっている意味があるのであって、これらを適時使い分けることによって的確なスイングリズムを容易に確認・維持できるという効果がある。
【発明を実施するための最良の形態】
【００２０】  本発明の実施形態を図を用いて説明する。【００２１】  図１、図３はスイングイメージ確認用クラブの代表的概念図である。このスイングイメージ確認用クラブは４０ｃｍ程の超短尺クラブであるが、その構成は市販のグリップ１の先から僅かに出ている超短尺のシャフト２があり、そのシャフト先端には１１ｃｍ程の直径で１．５ｃｍ程の厚みを持った円盤３がテニスラケットの円形のフェイス面とグリップ部と同様の位相関係を持って接続されている。この円盤３は、練習者がテニスラケットのように自然に振り抜けるようシャフトと平行な面を意識するために装備されている仮想的なフェイス面である。【００２２】  円盤３の中心部には、透明なアクリルまたはポリカーボネートで作成されたスイング方向に対してゴルフクラブの８番アイアン〜ＰＷ、ＳＷ、ウエッジ等相当のロフト角を持つ打面パーツ５とそれを支持する円筒形を斜めに切ったような台座パーツ４がビス６及び蝶ネジ７によって接続されていて、円盤３に対してこのビス６を軸に垂直に回転し、蝶ネジ７によって締め付け固定することでゴルフクラブで言うライ角調整を行い、練習者がグリップを持って構えた際にこの回転調整により打面パーツ５によって形成されるロフト傾斜が地面に対して図２のように垂直になるように練習者毎に調整できる。【００２３】  スイングイメージ確認用クラブの特徴は、まず、テニスラケットのように片手で操作することが可能な扱い易い長さである点と、ロフト角があるために打面方向とスイング方向とが一致しないという基本的にはゴルフクラブと同様に仕様のでありながら、ロフト形成パーツ（打面パーツ５、台座パーツ４）を透明にして目立たなくするとともに、円盤３がスイング方向に垂直な面と認識し易いようデザイン面でも工夫されている部分にある。これにより主にロフト角が主張してしまうゴルフ用具の持つ特有の心理的なプレッシャー要素を出来る限り排除することが可能で、テニスやバドミントンのラケットと同様の感覚で地面と平行に振り抜くだけで、すくい上げることなくロフトによって容易にボールを上げることができる構造になっている。このようなテニスとゴルフの要素を併せ持った超短尺で、利き手で操作するスイングイメージ確認用クラブという全く新しい器具によって、テニススイングが内包している手の感覚に近い感覚でボールを扱うことができるという感性部分を、ゴルフ練習者に対して提示することが可能となる。【００２４】  図４は、スイングイメージ確認用クラブのバリエーションで、円盤３を接続するシャフト部分をグースネック８にすることによって打面パーツ５上の打撃点をシャフトの軸線上に近い位置に持ってきたものである。【００２５】  図５は、インパクト練習用クラブの代表的概念図である。図１のスイングイメージ確認用クラブと打撃点までの距離が同等の長さになるように調整されていて、市販のグリップ９の先に出ている超短尺のシャフト１０の先には８番アイアン〜ＰＷ、ＳＷ、ウエッジまでの実際のグラブヘッド１２もしくは、これらを模しフェイス面積を拡大した図６で図示したイミテーションヘッド１３がホーゼルを介して接続されていいる。ヘッド重量はリストワークでの振り子効果を効果的に得、スイングリズムを習得するためのものなので実際のものに近い重量とする。【００２６】  図７は、（ティバッティング用）長尺ティの代表的概念図である。長尺ティは、容易に転倒しないようある程度の重量がある土台部分１７とそこから垂直に伸びる支柱部１６、更にその上には合成・天然ゴムもしくはスポンジ、エアクッション等の軟質素材で形成され、その上端部にボール１４を乗せることができる窪みを有するとともに練習者の体格に合わせボール位置の高さ調整する機構を持ったティパーツ１５で構成されている。【００２７】  更に、本発明では練習にゲーム性を取り入れることで楽しく練習を行ってもらうという目的で図８に記載されるグリーンを模した的シート１８及びバンカーを模した不定形のサンドハザードシート１９、池を模した同じく不定形のウォーターハザードシート２０の３種類の複数枚のゲームシートが提供される。的シート１８は、ダーツやアーチェリーの的を連想する同心円状のプリントがなされたもので、ゴルフコースでのグリーンを連想する緑色のカラーを施された布、ビニール等のシート状素材でできている。同心円は中心からエリア毎に１０点、５点、４点、３点、２点、１点のようにエリアと難易度に対応したポイントが描かれている。サンドハザードシート１９は、バンカーを連想する白またはグレー等のカラーを施された不定形のシートで、ここに落とすと−１点のように減点される。ウォーターハザードシート２０も池を連想するブルー等のカラーを施された不定形のシートで、サンドハザードシート１９同様ここに落とせば例えば−５点のように減点されるものとする。これら３種のシートを様々に組み合わせることによって難易度を変えたバラエティに富んだコース２１を設定することができる。【００２８】  ［使用例］
本発明のゴルフスイング練習器を使用したトレーニング方法を以降右利きのプレーヤーである場合を例に取って図９に基づいて説明する。尚、利き手のみを使った練習法の解説であるために右手主導でのスイングを奨励するものと思われるかも知れないが、本発明の本質は、右手をコントローラーとして使ったスイングリズムの体得であって、左手主導のスイングを否定するものではない。【００２９】（１）長尺ティ２７を床に設置し、ティの高さをスイングイメージ確認用クラブ２２（または図５及び図６のインパクト練習用クラブ）を握ってスタンスした時に無理なく打撃できるよう適当な高さに調節し、ティ上に練習用ボール２３をセットする。
（２）スイングイメージ確認用クラブ２２の場合は、図２のようにライ角を調整して、視タンスに入り構えた時ロフト角が地面に対し垂直となるように調節する（準備の終了）。
（３）右足に体重を移してテークバックを行うが、この時手首方向へのリストの折り曲げであるコック２５ａは力を入れず自然に行われる位に留める。この時、左肩が下げ気味で身体の内側に入るように身体を捻ってタメを作る。
（４）右足親指付近２８で軽く床を蹴り、左足２９に体重を乗せるようにして下半身主導でフォワードスイング２６ａが開始される。
（５）左足２９に全体重が乗る時にインパクトのタイミングを合わせるようにするが、肩の回転、腕・リストの振り、リストのスナップ等の諸動作がインパクトポイントで一致し、この時、前腕とリスト、クラブが２５ｃのように一直線になり、特にスナップのリストワークが振り子のように鋭い円弧２４を描き打撃できるようにスイングリズムを大切にする。
（６）インパクト後のフォロースルー２６ｂでは、体重移動が完了した左足２９を軸として踏ん張り、右肩３０を回転の中心としてインパクトポイントでのリストの状態２５ｃの状態を維持しながら振り抜き身体に惰性で腕を身体に巻き付けると同時に、胸を３１のように飛球方向に向けボティーターンが過不足なく行われるようにする。この時、リストを捻ってフェイス面を飛球線方向に向けたまま振るのではないことに特に明記しておく。
（７）ところでフォロースイング時のリスト及び前腕の動きは、肩を中心にして回転しているので円運動をするのが理想のように思われがちだが、実際には身体の前面では２６ａのようにインパクトポイントに向かって直線的に打ちにいっているイメージとなる。インパクト後のフォロースルーで右肩３０を回転の中心として腕が急速に巻き込まれ、意識の上ではここで初めて急激な円運動２６ｂが行われ振り抜かれるというイメージとなる。
（８）本発明によるスイング練習では、意図する弾道でボールを打つためにインパクトタイミングでのフェイスの向き及び体重移動、振り抜き方向、力加減がどうあるべきであるかをイメージし、それを最良の形で実現するためには、逆にインパクト前後でどうすればいいのかをテニスという別のスポーツの要素を随所に取り入れた器具で練習・習得することによって、テニスと同様に弾道イメージと身体のコントロールが一致されるようになり結果として安定したスイングを作ることを目指すものであるが、それをゲーム的な遊びの要素の中で行えるように用意されたのが的シート３４で、長尺ティ２７から数ヤード離れたところに敷かれ、ダーツやアーチエリーの様に的の中心部を狙うことによって集中力を維持することが可能となる。
（９）図１０は、このゲーム性に着目して遊具として構成したものである。図５または図６のようなインパクト練習用クラブ３６を用いて各プレーヤーが１フレーム当たり複数球を打ち（３７、３８、３９、４０）、その合計４１ａを計算。それをボーリングのように複数フレーム行ってフレームの総合計４１ｂでもって得点を競う。
【図面の簡単な説明】
【００３０】
【図１】スイングイメージ確認用クラブの三面概念図
【図２】スイングイメージ確認用クラブでのライ角調整機能の概念図
【図３】スイングイメージ確認用クラブのパース概念図
【図４】スイングイメージ確認用クラブでのグースネック接続三面概念図
【図５】インパクト練習用クラブ（標準ヘッド）の三面概念図
【図６】インパクト練習用クラブ（ラージヘッド）の三面概念図
【図７】長尺ティのパース概念図
【図８】的シート、サンドハザードシート、ウォーターハザードシート及びその構成例
【図９】本発明のゴルフスイング練習機を使用したトレーニングの説明図
【図１０】本発明のゴルフスイング練習機を使用した遊具としてのゲーム説明図
【図１】
2009078108.tif 000003
【図２】
2009078108.tif 000004
【図３】
2009078108.tif 000005
【図４】
2009078108.tif 000006
【図５】
2009078108.tif 000007
【図６】
2009078108.tif 000008
【図７】
2009078108.tif 000009
【図８】
2009078108.tif 000010
【図９】
2009078108.tif 000011
【図１０】
2009078108.tif 000012